(57)【要約】【課題】  商品を販売するに際し、その商品に含まれる副材等の添付忘れや添付ミスを防止する。【解決手段】  商品の情報を出力する商品情報出力装置１に関する。商品を特定する特定手段と、前記商品を使用するに際し、当該商品の一部に含まれ、かつ、当該商品の本体とは別体の同時使用物品を当該商品に関連させて記憶する記憶手段と、前記特定手段にて特定された商品に対して前記記憶手段にて関連して記憶された同時使用物品があれば当該物品の情報を表示させる表示手段３を備えることを特徴とする。【選択図】        図５
2005300336.tif 000002
【特許請求の範囲】
【請求項１】
商品の情報を出力する商品情報出力装置であって、
商品を特定する特定手段と、
前記商品を使用するに際し、当該商品の一部に含まれ、かつ、当該商品の本体とは別体の同時使用物品を当該商品に関連させて記憶する記憶手段と、
前記特定手段にて特定された商品に対して前記記憶手段にて関連して記憶された同時使用物品があれば当該物品の情報を表示させる表示手段を備えることを特徴とする商品情報出力装置。
【請求項２】
請求項１に記載の商品情報出力装置であって、
前記商品本体の量を特定する分量入力手段を更に備え、
前記記憶手段には前記商品本体の分量と前記同時使用物品の添付量との関係が記憶されており、
前記記憶手段に記憶された分量と添付量との関係に基づいて、
前記分量入力手段によって入力された商品本体の分量に応じた同時使用物品の添付量が前記表示手段に表示されることを特徴とする商品情報出力装置。
【請求項３】
請求項１または２に記載の商品情報出力装置であって、
前記分量入力手段は計量装置であることを特徴とする商品情報出力装置。
【請求項４】
前記商品情報出力装置は商品を販売する際の清算機能を有し、
複数の前記商品を前記特定手段によって特定して、買い上げる商品の全てを入力した後に、前記表示手段に前記同時使用物品をまとめて表示させることを特徴とする請求項１、２もしくは３に記載の商品情報出力装置。
【発明の詳細な説明】
【技術分野】
【０００１】
本発明は、商品の情報を出力する商品情報出力装置に関するものである。
【背景技術】
【０００２】
販売作業において、副材、お箸等（以下、「副材等」という）を商品に添付する場合があり、かかる副材等は商品ごとに異なるので添付忘れや添付ミスが発生する。
下記の特許文献１に開示された対面秤には、計量する商品に関連させて販促用のメッセージを表示させるため、商品の販売促進には効果が高い。
【特許文献１】特開２０００−２９２２４７号（〔００１７〕，〔００３３〕，〔００３７〕、図１０）
【発明の開示】
【発明が解決しようとする課題】
【０００３】
しかし、この装置にあっては、セールストークが主目的で、追加購入等の販促効果はあるが、商品の一部に含まれる必須の副材等を確実に添付することを目的としたものではない。つまり、商品を使用するに際し、商品と共に用いられる副材等（たとえば、惣菜と箸。惣菜とソース。プリンやゼリーとスプーン。飲み物とストロー等）を確実に一緒にすることはできない。
【０００４】
したがって、本発明の目的は、商品を販売するに際し、その商品に含まれる副材等の添付忘れや添付ミスを防止することである。
【課題を解決するための手段】
【０００５】
前記目的を達成するために、本発明の商品情報出力装置は、商品の情報を出力する商品情報出力装置であって、商品を特定する特定手段と、前記商品を使用するに際し、当該商品の一部に含まれ、かつ、当該商品の本体とは別体の同時使用物品を当該商品に関連させて記憶する記憶手段と、前記特定手段にて特定された商品に対して前記記憶手段にて関連して記憶された同時使用物品があれば当該物品の情報を表示させる表示手段を備えることを特徴とする。
【０００６】
なお、「同時使用物品」としては、商品と共に顧客に使用される物品をいい、たとえば、惣菜に対するソースやドレッシング、刺し身に対するわさび、プリンに対するスプーンなどがある。
【発明の効果】
【０００７】
本発明においては、特定手段によって特定された商品について同時使用物品があれば当該物品の情報を表示させることができるから、店員が同時使用物品を添付し忘れるのを防止するができる。
【発明を実施するための最良の形態】
【０００８】
本発明において、商品情報出力装置は、前記商品本体の量を特定する分量入力手段を更に備え、前記記憶手段には前記商品本体の分量と前記同時使用物品の添付量との関係が記憶されており、前記記憶手段に記憶された分量と添付量との関係に基づいて、前記分量入力手段によって入力された商品本体の分量に応じた同時使用物品の添付量が前記表示手段に表示されることを特徴とする。
【０００９】
分量入力手段によって入力さた商品本体の分量に応じた同時使用物品の添付量が、記憶手段に記憶された分量と添付量との関係に基づいて演算手段により演算され、該演算で求められた添付量が表示手段に表示されるので、過不足のない同時使用物品を確実に添付することができる。
【００１０】
本発明の好ましい実施例においては、前記分量入力手段は計量装置であることを特徴とする。
これにより、量り売りに際し値段を算出するのに利用する計量装置を利用して、正確な分量に応じた同時使用物品の添付量を算出できる。そのため、消費者に確実に副材等を供給することができると共に、販売側にとっては同時使用物品の使用を適切に抑えられる。つまり、同時使用物品を過不足なく提供し得る。
【００１１】
本発明の好ましい実施例においては、商品を販売する際の清算機能を有し、複数の買い上げ商品の全てを前記特定手段によって特定して、買い上げる商品の全てを入力した後に、前記表示手段に前記同時使用物品をまとめて表示させることを特徴としてもよい。
【００１２】
これにより、清算の際（商品および金銭等の受け渡しの際）に同時使用物品をまとめて表示させるので、商品特定時には、商品の計量や包装、特定作業（スキャニング）等に専念でき、その後にまとめて同時使用物品を確実に取り揃えることができるから、間違いや入れ忘れを防止できる。
【実施例１】
【００１３】
以下、本発明の実施例１にかかる商品情報出力装置を図面に従って説明する。
本発明の商品処理装置は、たとえば、対面秤、計量秤、ラベル発行機またはレジスタなどであるが、本実施形態では図１に示す対面秤を例にとって説明する。
【００１４】
図１（ａ）に示すように、対面秤１は、たとえば、食品などの商品の本体が陳列されたショーケース２の上に載置されて用いられる。対面秤１は商品を販売するための清算機能を有したキャッシュレジスタであり、販売員は顧客からの買い上げ予定の商品を指定されると、ショーケース２内のバット２ｂから該当の商品を必要量取り出し、対面秤１で計量等を行った後、清算を行う。
【００１５】
全体構成：
図１（ｂ）は、販売員側から見た対面秤１の斜視図である。
図１（ｂ）に示すように、対面秤１は食品などを載置する載置皿２０を備えている。載置皿２０は図示しないロードセルに支持されており、載置皿２０およびロードセルは図２に示す計量部６を構成している。
【００１６】
機器構成：
図２に示すように、対面秤１においては、計量部６、タッチスクリーン３、ストロークキー部４および買い上げ伝票等の印字を行う印字部５が、図示しないインターフェイスを介してコンピュータ１０に接続されている。
【００１７】
前記コンピュータ１０は、ＣＰＵ１１（演算制御手段）１１、ハードディスク（記憶手段の一例）１２およびメモリ（記憶手段）１３などを備えている。ＣＰＵ１１は、前記計量部６からの重量信号に応じて被計量物の計量値を算出する。したがって、コンピュータ１０および計量部６は、商品の本体および／または副材等の分量を入力する計量装置（分量入力手段）を構成している。
【００１８】
前記ハードディスク１２は商品マスタ記憶部１２ａおよび副材マスタ記憶部１２ｂを備えている。
図３（ａ）に示すように、商品マスタ記憶部１２ａには、呼出No. 、品名、単価および副材No. などからなる商品に関する商品情報が互いに関連付けられて記憶されている。
図３（ｂ）に示すように、副材マスタ記憶部１２ｂには、前記副材No. 毎に副材等（同時使用物品）の名称および添付単位などからなる副材情報が互いに関連付けられて記憶されている。副材等としては、たとえば、小袋ごとに分けられて包装されたソース類およびドレッシング類や、スプーンなどの食器類が記憶されている。
【００１９】
ＣＰＵ１１は、商品が指定されると、当該商品に対応する商品情報を商品マスタ記憶部１２ａから読み出し、当該商品情報に副材No. が含まれている場合には、当該副材No. に対応する副材情報を副材マスタ記憶部１２ｂから読み出す。
【００２０】
副材情報に含まれる前記添付単位は、商品本体の分量に応じた副材等の添付量を算出するための値であり、添付する副材等の個数を算出するための定数からなる。前記ＣＰＵ１１は、商品本体の計量値や個数を当該商品に対応する添付単位で除算することにより、添付する副材等の個数を算出する。
【００２１】
すなわち、量り売りの場合には、載置皿２０上に載置された商品本体の計量値を添付単位で除算し、当該算出値の小数点以下を切り上げて副材等の個数が決定される。たとえば、商品の本体１２０グラム毎に１個の副材等を添付する場合には、商品本体の計量値を添付単位１２０で除算した算出値の小数点以下を切り上げた値が、添付する副材等の個数となる。
一方、個数売りの場合には、商品本体の個数を添付単位で除算し、当該算出値に基づき副材等の個数が決定される。たとえば、商品３個毎に１個の副材等を添付する場合には、商品の個数を添付単位３で除算した算出値の小数点以下を切り上げた値が添付する副材等の個数となる。
なお、前記算出値は、切り上げの他に、四捨五入や切り捨てを行うことにより整数値とされ、副材等の個数が決定されてもよい。
【００２２】
前記各記憶部１２ａ，１２ｂの記憶内容は、たとえば、通信線によって店舗システムの上位コンピュータ等からデータを受け取ることで作成してもよいし、記憶媒体を介してデータを受け取るようにしてもよい。更には、タッチスクリーン３やストロークキー部４によって入力されてもよい。
【００２３】
タッチスクリーン３は、図４〜図６に示す各画面を表示する表示手段を構成している。タッチスクリーン３には、商品指定ボタン（特定手段の一例）３１をはじめとする種々の選択ボタンや、表示エリア、ポップアップウインドウなどが表示される。タッチスクリーン３に表示された表示画面の一部を指でタッチすることにより入力を行うことが可能である。図１（ｂ）に示すストロークキー部４には、テンキーなどが設けられている。
【００２４】
前記タッチスクリーン３およびストロークキー部４は、印字部５と同じ側面（販売員側の側面）に設けられている。なお、前記タッチスクリーン３の反対側の側面（顧客側の側面）１００には、他の表示器が設けてあり、顧客が買い上げ予定の商品の価格の合計金額等を見ることができるようになっている。
【００２５】
前記コンピュータ１０は、顧客からの預かり金が入力されると、当該預かり金から前記合計金額を減算し、釣銭額を算出してタッチスクリーン３に表示させる清算機能を有している。
【００２６】
装置の運用：
つぎに、運用について説明する。
販売員が所定の操作を行い、本装置を起動すると、図４（ａ）に示す初期画面が表示される。初期画面には、商品指定ボタン（特定手段）３１やメッセージエリア３２などが表示される。商品指定ボタン３１は、１つの画面に複数個表示され、それぞれのボタン３１には、各商品に対応するイメージ（たとえば、実際の商品を撮影した画像）および／または商品名等が表示される。
【００２７】
顧客が購入希望の商品を注文すると、販売員は当該商品に対応する商品指定ボタン３１にタッチして商品を指定した後、商品本体の注文された分量を必要に応じて入力する。
【００２８】
各商品指定ボタン３１には、図３（ａ）の商品マスタ記憶部１２ａに記憶された前記呼出No. がそれぞれ関連付けられており、商品指定ボタン３１がタッチされると、ＣＰＵ１１は、当該呼出No. に対応する商品情報を商品マスタ記憶部１２ａから読み出す。読み出された商品情報に、副材No. が含まれている場合には、ＣＰＵ１１は、当該副材No. に関連付けられた副材情報を、図３（ｂ）の副材マスタ記憶部１２ｂから読み出す。
【００２９】
前記読み出し後、ＣＰＵ１１は、図４（ｂ）に示す商品指定ボタン３１の上に入力ウインドウ４０をポップアップ表示させると共に、メッセージエリア３２に当該商品の品名を表示させる。入力ウインドウ４０には、複数の販売員指定ボタン４１や、風袋引ボタン４２、値引ボタン４３および副材表示部４４等が表示される。
前記副材表示部４４には、前記指定された商品に応じて副材マスタ記憶部１２ｂから読み出された副材名が表示される。各販売員指定ボタン４１には、多数の販売員の名前等がそれぞれ表示される。
【００３０】
個数単位で販売；
ここで、個数単位で販売する商品本体の前記分量を入力するには、図１（ｂ）のストロークキー部（分量入力手段）４を用い注文された個数を置数する。ＣＰＵ１１は、入力された個数を図４（ｂ）の数量表示エリア３３ａに表示させる。一方、ＣＰＵ１１は、商品の単価に当該個数を乗じた価格を価格表示エリア３４に表示させる。一方、ＣＰＵ１１は、副材情報が読み出された場合には、当該個数を前記添付単位で除算し、副材等の個数を算出して決定する。
【００３１】
その後、販売員が自身の名前の表示された販売員指定ボタン４１にタッチして、当該注文を決定すると、ＣＰＵ１１は、入力ウインドウ４０を閉じると共に、図５（ａ）の商品一覧画面を表示させる。
商品一覧画面には、商品指定ボタン３１と共に、買上商品表示エリア３７や販売員表示エリア３５などが表示される。買上商品表示エリア３７には、注文された商品の名称、単価、個数および金額等がたとえば白地に黒で表示される。副材等がある場合には、副材等の名称が、たとえば赤色で反転表示される。副材等の個数が２個以上である場合には、副材等の名称と共に、当該副材の個数が反転表示される。
【００３２】
このように、販売する商品に応じて、当該商品に対応する副材等が表示されるので、副材等を確実に添付することができる。
さらに、副材の有無や添付量（個数）が、他の表示内容とは異なる色で表示され、かつ、反転表示されるので、他の表示情報に比べて目立つから、添付忘れや個数間違いを防止することができる。
【００３３】
量り売り；
一方、量り売り商品に対応する商品指定ボタン３１がタッチされた場合には、販売員が図１の載置皿２０に当該商品を載置すると、ＣＰＵ１１が計量部６からの計量信号に基づき計量値を算出し、数量表示エリア３３ｂ（図４（ａ））に当該計量値を表示させる。販売員は、表示された計量値を見ながら、顧客から注文された重量になるように商品の増減を行い調整する。ＣＰＵ１１は、当該計量値に重量当たりの単価を乗算して、金額を算出し、当該金額を表示させる。
【００３４】
販売員が販売員指定ボタン４１にタッチして当該注文を決定すると、図５（ａ）の商品一覧画面が表示される。副材等がある場合には、前記買上商品表示エリア３７に当該副材等の名称や個数が赤で反転表示される。
【００３５】
このように、量り売りに際し、値段を算出するのに利用する計量装置を利用して、正確な分量に応じた副材等の添付量が特定できる。そのため、消費者に確実に商品を供給できると共に、販売側にとっては副材等の添付量を適切に抑えられる。
【００３６】
追加の注文がある場合には、当該商品に対応する商品指定ボタン３１にタッチして、商品の指定と数量や分量の入力を繰り返す。ＣＰＵ１１は、注文が決定される度に、当該決定された商品の個数（または分量）、金額、副材名、副材の添付量などを、各注文毎にメモリ１３に記憶する。一方、ＣＰＵ１１は、各注文の前記金額を積算すると共に、値引き金額を減算したり、税を加算して合計金額を算出する。
商品の指定と入力とを繰り返し、顧客が購入を希望する商品の入力が終了すると、販売員は、清算ボタン３８等にタッチするなどの操作を行うと、ＣＰＵ１１は、図５（ｂ）に示す清算画面を表示させる。
【００３７】
前記清算画面には、買上商品一覧エリア３７Ａが表示される。買上商品一覧エリア３７Ａには、前記決定された全ての注文商品の品名、単価、個数および金額などが決定商品ごとにまとめて表示される。一方、副材等がある場合には、当該副材等の名称や個数が注文商品ごとに表示される。なお、本実施例では、副材等が１個の場合には、個数の表示を省略しているが、１個の場合に個数（１個）を表示してもよい。
【００３８】
このように、清算時に副材等の同時使用物品をまとめて表示させるので、販売員は各商品の計量などに専念でき、その後にまとめて副材等を確実に取り揃えることができるから、間違いや入れ忘れを防止することができる。
また、販売する商品の分量に応じて、添付する副材等の添付量（パックやスプーンなどの個数）が表示されるから、過不足のない副材等を添付することができる。
【００３９】
注文された商品が多く、一覧表示できない場合には、スクロールボタン３７ｓにタッチし、前記一覧をスクロール表示させることができる。
【００４０】
清算画面の上部には、販売員表示エリア３５と共に、買上点数や合計金額等が表示される。販売員が、ストロークキー部４（図１（ｂ））を用いて顧客が支払った金額（預かり金）を入力すると、預かり金の金額が表示されると共に、釣銭が表示される。販売員は、商品、副材等と共に、釣銭を顧客に渡す。
その後、販売員は、所定のボタンにタッチして、図４（ａ）の初期画面を表示させて、次の顧客の注文を入力する。
【００４１】
一覧確認エリア：
ところで、複数の商品の入力中に、これまで入力した商品の一覧を表示して確認たい場合がある。かかる場合には、図６に示す一覧ボタン３７ａにタッチすると、一覧確認エリア３７Ｂが表示され、これまで、入力された商品の一覧がまとめて表示される。一覧確認エリア３７Ｂには、入力された商品の品名、単価、個数および金額などが決定商品ごとにまとめて表示されると共に、副材等がある場合には、当該副材等の名称や個数が表示される。
【００４２】
ここで、図５（ｂ）の清算画面を表示させずに、ストロークキー部４（図１（ｂ））から、預かり金を入力して清算することも可能である。かかる場合には、図５（ａ）の商品一覧画面において、一覧ボタン３７ｂにタッチすると、図６の買上予定一覧３７Ｂが表示される。販売員は、一覧確認エリア３７Ｂに表示された決定商品の一覧に基づき、買い上げ予定の商品や、副材等の添付の有無、副材等の個数を確認することができる。
【００４３】
ポップアップメニュー：
ところで、図４（ｂ）に示す入力ウインドウ４０には、販売員指定ボタン４１の他に、風袋引ボタン４２や値引ボタン４３などが表示される。ここで、風袋引ボタン４２や値引ボタン４３にタッチした後に入力ウインドウ４０が閉じると、販売員指定ボタン４１が表示されなくなり、注文商品の決定ができなくなる。
【００４４】
本装置には、図７に示すボタン内容記憶部１２ｃが前記ハードディスク１２に設けられている。ボタン内容記憶部１２ｃには、ボタンNo. 、ボタンに表示される文字列および表示保持フラグが互いに関連付けられて記憶されている。表示保持フラグには、入力ウインドウ４０を閉じるか否かのフラグが記憶されている。ＣＰＵ１１は、前記フラグに従って入力ウインドウ４０の表示制御を行う。
【００４５】
たとえば、ＣＰＵ１１は、風袋引ボタン４２や値引ボタン４３がタッチされた場合には、当該ボタン４２，４３に対応するボタンNo. に関連付けられた前記表示保持フラグが立っている（フラグが１）ので、入力ウインドウ４０の表示を保持し、該ウインドウを閉じない。一方、販売員指定ボタン４１などがタッチされた場合には、当該ボタンに関連付けられたボタンNo. に対応する保持フラグが０であるため入力ウインドウ４０を閉じる。
したがって、風袋引ボタン４２や値引ボタン４３にタッチした後も、入力ウインドウ４０が閉じず表示が保持されるので、販売員指定ボタン４１にタッチして注文商品の決定を行うことができる。
【００４６】
なお、前述の実施例では、商品を特定する特定手段として商品指定ボタン３１を例示したが、商品に貼付や添付したバーコードを読み取ったり、商品に取り付けたＩＤタグを読み取ることにより、商品を特定するようにしてもよい。
【００４７】
また、注文を受けた商品の個数を入力するのにストロークキー（分量入力手段）を用いたが、計量装置で計量した値から数量を算出したり、数量の印字されたバーコードを読み込ませることにより、個数を入力するようにしてもよい。
【００４８】
また、前記副材表示部４４において、当該副材等が２個以上の場合には、当該個数が副材名と共に表示されるようにしてもよい。また、副材等が１個の場合にも、その個数（１個）を表示するようにしてもよい。
【００４９】
さらに、商品情報に副材等の添付単位を記憶させれば、同一種類の副材等であっても、商品ごとに副材等の添付量を設定することができる。
【００５０】
また、前記実施例では、副材等のうち、ドレッシングやソース、わさびなどは、パック詰めのものを用い、商品ごとにパックの個数を算出するようにしたが、商品の数量や重量、容量に基づいて副材等の添付量を算出し、当該算出値に基づいて、副材をその都度、計量して添付するようにしてもよい。
また、各副材等の１個当たりの重量を予め設定登録することにより、以下のようにして、副材等の添付忘れを防止することができる。
販売員は、副材等を含む全ての商品をまとめて載置皿２０に載置し、実際の総重量を計量する。一方、ＣＰＵ１１は、副材等を含まない各決定商品の重量を合計した商品の重量に、当該商品に添付する副材等の重量を加算して、計算上の合計重量を算出する。ＣＰＵ１１は、前記実際に計量した総重量と前記合計重量とを比較し、当該比較した偏差が所定の値よりも大きい場合には、副材の添付を忘れていると判断する。これにより、副材等の添付忘れを防止し得る。
【００５１】
以上のとおり、図面を参照しながら好適な実施形態を説明したが、当業者であれば、本明細書を見て、自明な範囲で種々の変更および修正を容易に想定するであろう。
たとえば、商品処理装置としては、対面秤の他に、計数秤やラベルプリンタなども本発明の対象となる。
また、「特定手段」としては、たとえば、キー入力や、タッチパネルによる入力、バーコードの読み取り、ＩＤタグの自動読み取りなど種々の手段を採用することができる。
なお、「分量」としては、重量や個数の他に、容量などであってもよく、たとえば、カット野菜の量に応じたドレッシングの量や袋数、刺し身の量に応じたわさびの量や袋数、コロッケに対するソースの量や袋数の他、プリンに対するスプーンの数等がある。つまり、副材等は、パック詰めの個数であってよいし、商品本体の分量に応じて計量してもよい。
また、「分量入力手段」としては、前記計量装置の他に、たとえば、置数キーや、バーコードリーダなどを用いることができる。
さらに、商品本体の分量に応じた副材等の添付量を求める必要もない。
したがって、そのような変更および修正は、請求の範囲から定まる本発明の範囲内のものと解釈される。
【産業上の利用可能性】
【００５２】
本発明は、商品の情報を表示する商品情報出力装置に適用することができる。
【図面の簡単な説明】
【００５３】
【図１】（ａ）は本発明の実施例１にかかる商品情報出力装置の用い方を示す概略正面図、（ｂ）は同装置の概略斜視図である。
【図２】商品情報出力装置を示す概略構成図である。
【図３】記憶手段の記憶内容を示す図表である。
【図４】表示手段の表示画面を示す正面図である。
【図５】表示手段の表示画面を示す正面図である。
【図６】表示手段の表示画面を示す正面図である。
【図７】記憶手段の記憶内容を示す図表である。
【符号の説明】
【００５４】
３：タッチスクリーン（表示手段）
４：ストロークキー部（分量入力手段）
６：計量部（計量装置・入力手段の一部）
１０：コンピュータ（計量装置・入力手段の一部）
１２：ハードディスクドライブ（記憶手段）
３１：商品指定ボタン
【図１】
2005300336.tif 000003
【図２】
2005300336.tif 000004
【図３】
2005300336.tif 000005
【図４】
2005300336.tif 000006
【図５】
2005300336.tif 000007
【図６】
2005300336.tif 000008
【図７】
2005300336.tif 000009